(57)【要約】【課題】折り畳み、展開動作に伴って電源の投入・切断が可能な表示装置を提供する。【解決手段】表示部１０１は、画像表示などを行うもので、それぞれ独立した複数の画像表示器からなる。変位検出部１０２は、表示部１０１の変位（折り畳み具合）に応じた電位を発生する。音声出力部１０３は、表示部１０１に表示された画像などに対応する音声を出力する。記憶部１０４は、表示部１０１に表示するための画像データや、音声出力部１０３から出力するための音声、各種コンテンツデータなどを記憶する。スイッチ部１０５は、ユーザが入力する各指示を検出する。入出力部１０６は、画像データや音声データなどの入出力を行う。電源部１０７は、各機能部へ電流を供給する。制御部１０８は、変位検出部１０２が発生した電位の大きさを検出することで、表示部１０１の開閉状態を判断し、電源の投入・切断を行う。【選択図】図１
2007206648.tif 000002
【特許請求の範囲】
【請求項１】
それぞれ独立した複数の画像表示器と、前記複数の画像表示器をそれぞれ接続する接続部材と、を備えて構成された折り畳み可能表示手段と、
前記表示手段の変位を検出する変位検出手段と、
コンテンツデータを記憶する記憶手段と、
制御手段と、を備え、
前記制御手段は、
前記変位検出手段の出力に基づいて前記表示手段の開閉を判断し、
記憶手段に記憶されたコンテンツデータの再生を制御する、
ことを特徴とする表示装置。
【請求項２】
前記制御手段は、
前記表示手段が開いたと判断した場合、前記表示手段への電源の供給を開始することを特徴とする請求項１に記載の表示装置。
【請求項３】
前記制御手段は、
前記表示手段が閉じたと判断した場合、前記表示手段への電源の供給を終了することを特徴とする請求項２に記載の表示装置。
【請求項４】
さらに、電源手段を備え、
前記制御手段は、
前記電源の残量時間あるいは電源残量を演算し、当該残量時間あるいは電源残量に基づいて、動作させる前記画像表示器の数を決定することを特徴とする請求項１〜３のいずれか一つに記載の表示装置
【請求項５】
さらに、コンテンツデータを外部へ出力する出力する出力手段を備え、
前記制御手段は、
前記表示装置の周辺に音響装置が存在するか否かを判断し、前記音響装置が存在した場合は、コンテンツデータ中のオーディオデータを前記音響装置に出力することを特徴とする請求項１〜４に記載の表示装置。
【請求項６】
さらに、コンテンツデータを外部へ出力する出力する出力手段を備え、
前記制御手段は、
前記表示装置の周辺に第２の表示装置が存在するか否かを判断し、前記第２の表示装置が存在した場合は、コンテンツデータ中のビデオデータを前記第２の表示装置に出力することを特徴とする請求項１〜４に記載の表示装置。
【請求項７】
前記画像表示器の各々は前記変位検出手段を介して接続されていることを特徴とする請求項１〜６に記載の表示装置。
【請求項８】
前記表示手段は、
各画像表示器間の接続部で山折りまたは谷折りが可能であり、前記接続部材を折り目として所定の規則性をもって折り畳むことにより、一軸方向への伸縮によって開閉自在に表構成されていること、を特徴とする請求項１〜７のいずれか一つに記載の表示装置。
【発明の詳細な説明】
【技術分野】
【０００１】
この発明は、複数の画像表示器を備える折り畳み可能な表示装置に関する。ただし、この発明の利用は、上述した表示装置には限られない。
【背景技術】
【０００２】
近年、情報処理技術の発達にともない、各種情報を表示するための表示装置もさまざまな形態のものが提案されている（たとえば、特許文献１，２を参照。）。また、表示装置ではないが、平面形状のものを携帯しやすいように折り畳む技術が提案されている（たとえば、特許文献３，４を参照。）。
【０００３】
特許文献１に開示されている技術は、独立した複数の表示手段とこれを接続するフレキシブルジョイントとによって構成された表示装置である。この表示装置は、折り畳んで収納して小型化することができ、またそれぞれの画面に違った映像を映し出すこともできる。
【０００４】
また、特許文献２に開示されている技術は、フレキシブルな材料を用いて製造された第１および第２の基板を有する液晶表示装置である。この液晶表示装置は、曲げ応力に対して強い耐性を備えたものになっている。
【０００５】
また、特許文献３に開示されている技術は、参照したい任意の地域図を常に見開き状態にしておくことができる地図である。この地図は、折り畳み線が無理に折り畳まれることがなく、ある地域図から任意方向の隣接した地域図へ簡単に移行でき、隣接地域図へ移行の際に全体を広げる必要がなく、折り畳み状態も比較的小型になっている。
【０００６】
また、特許文献４に開示されている技術は、総図の部分、すなわちアトラスを簡易な操作で開くことができ、開閉によって傷むことが少ない折り畳まれた片面印刷物である。
【０００７】
【特許文献１】特開平９−３１１７３７号公報
【特許文献２】特表２００４−５１９７２６号公報
【特許文献３】特開平１０−３２４０７８号公報
【特許文献４】特開平１０−９５１８１号公報
【発明の開示】
【発明が解決しようとする課題】
【０００８】
特許文献１に開示された表示装置は、折り畳み可能であることから携帯には便利である。しかしながら、折り畳む場合、その都度フレキシブルジョイントを取り外すことが必要となるので、使い勝手が悪いという問題がある。
【０００９】
また、特許文献２に開示された液晶表示装置は、フレキシブルな材料を用いて製造されてはいるものの、折り畳むことは想定されていないため、折り畳んで携帯することはできないという問題がある。
【００１０】
また、特許文献３に開示された地図、および特許文献４に開示された片面印刷物は、簡易な操作で展開、折り畳みが可能である。しかしながら、あくまでも紙面などに印刷されたものを対象とするので、技術分野の異なる表示装置に適用することはできないという問題がある。
【課題を解決するための手段】
【００１１】
請求項１に記載の発明にかかる表示装置は、それぞれ独立した複数の画像表示器と、前記複数の画像表示器をそれぞれ接続する接続部材と、を備えて構成された折り畳み可能な表示手段と、前記表示手段の変位を検出する変位検出手段と、コンテンツデータを記憶する記憶手段と、制御手段と、を備え、前記制御手段は、前記変位検出手段の出力に基づいて前記表示手段の開閉を判断し、記憶手段に記憶されたコンテンツデータの再生を制御することを特徴とする。
【発明を実施するための最良の形態】
【００１２】
以下、添付図面を参照して、この発明にかかる表示装置の好適な実施の形態を詳細に説明する。
【００１３】
図１は、この発明の実施の形態にかかる表示装置の機能的構成を示すブロック図である。図１に示すように、この表示装置１００は、表示部１０１と、変位検出部１０２と、音声出力部１０３と、記憶部１０４と、スイッチ部１０５と、入出力部１０６と、電源部１０７と、制御部１０８とが、バスライン１０９を介して接続されて構成される。
【００１４】
表示部１０１は、画像表示などを行うもので、それぞれ独立した複数の画像表示器からなる。各画像表示器は、それぞれたとえば平行四辺形、菱形、台形形状のフィルム材またはガラス基板などにより構成されている。なお、画像表示器を菱形のフィルム材またはガラス基板で構成する場合には、その菱形のフィルム材またはガラス基板を二枚の三角形のフィルム材またはガラス基板で構成してもよい。
【００１５】
変位検出部１０２は、表示部１０１の変位（折り畳み具合）に応じた物理的変位（例えば、電位または屈折率変化など）を発生する。この変位検出部１０２は、表示部１０１を構成する前記複数の画像表示器をそれぞれ接続し、かつ各画像表示器間の接続部で山折りまたは谷折りが可能な接続部材（不図示）の内部に含まれている。変位検出部１０２は、たとえば変位により電位を発生させる樹脂などで構成するとよい。
【００１６】
音声出力部１０３は、表示部１０１に表示された画像などに対応する音声を出力する。
【００１７】
記憶部１０４は、表示部１０１に表示するための画像データや、音声出力部１０３から出力するための音声データなどの各種コンテンツデータ及びそのメモリ上のアドレスや目次などの管理情報などを記憶する。また、表示装置１００の制御プログラムを格納している。また、ユーザインターフェースとしての操作メニュー画面、ユーザにより設定された設定情報（表示色や初期動作モードなど）、あるいは最後に視聴していたラストコンテンツデータに関する情報を保持する機能を有する。
【００１８】
スイッチ部１０５は、ユーザが入力する各指示を検出する。または、リモコンなどによる指令を受信する受信部としての機能を持たせても良い。
【００１９】
入出力部１０６は、外部から伝送されるコンテンツデータ（画像データや音声データなど）を通信、記録媒体などの様々な伝送路を介して取得する。取得されたコンテンツデータは記憶部１０４へ格納される。さらに、入出力部１０６は、表示装置１００からコンテンツデータを外部へ出力する。たとえば、入出力部１０６に音響装置であるヘッドホンなどを接続することで、表示部１０１に表示された画像に対応する音声をユーザがヘッドホンを介して聞くことができる。また、表示装置１００とは別の第２の表示装置であるモニタ等が周囲に存在する場合は、第２の表示装置へコンテンツデータを出力するように構成してもよい。なお、入出力部１０６はライン、電磁波、光通信、メモリカードなど数々の伝送媒体による各データの入出力に対応できるようになっている。
【００２０】
電源部１０７は、シート状電池などで構成され、各機能部１０１〜１０９へ電流を供給する。
【００２１】
制御部１０８は、記憶部１０４に格納された制御プログラムに基づいて動作し、表示装置１００全体の制御を行う。
【００２２】
バスライン１０９は、各機能部をつなぐ信号制御ラインであり、各機能部間における各種信号やデータなどの伝達を行う。
【００２３】
この実施の形態の表示装置１００は、表示部１０１、音声出力部１０３、記憶部１０４、スイッチ部１０５、入出力部１０６、電源部１０７、制御部１０８、およびバスライン１０９が積層されて構成される。そして、変位検出部１０２を備えた接続部在で接続された、表示部１０１を構成する前記各画像表示器の接続部分を折り目として所定の規則性をもって表示装置１００を折り畳むことができるようになっている。
【００２４】
この表示装置１００は、たとえば完全な折り畳み状態で複数の画像表示器を一つの画像表示器上に重ね合わせて折り畳むことができる構造を備えている。具体的には、表示装置１００は、完全な折り畳み状態で表面積が二つの画像表示器を並べた大きさより小さくなるように構成されている。
【００２５】
この表示装置１００の折り畳み方としては、いわゆるミウラ折り（登録商標）を採用すれば、一軸方向に伸縮することで容易に開閉できるので好都合である。すなわち、ミウラ折りを採用することで、表示装置１００の完全展開時における対向端の部分（異なる二つの部分）をもって、さっと左右に引っ張れば一瞬にして広がるし、折り畳むのも瞬時に完了させることができるようになる。なお、この表示装置１００は、ミウラ折り以外の折り畳み方で折り畳んでも差し支えない。
【００２６】
前述のように、変位検出部１０２は表示部１０１の変位（開き具合）に応じて電位を発生する。そこで、この表示装置１００では、制御部１０８が、変位検出部１０２が発生した電位の大きさを検出することで、表示部１０１が完全な折り畳み状態から所定程度に開かれた状態にあるのか、それとも完全展開時から所定程度に折り畳まれた状態にあるのかなどを判別する。そして、表示部１０１が完全な折り畳み状態から所定程度に開かれた状態になった場合に、電源部１０７から各機能部への電流の供給が開始される。また、表示装置１００が完全展開時から所定程度に折り畳まれた状態になった場合に、電源部１０７から各機能部への電流の供給が切断される。
【００２７】
さらに、この表示装置１００は、記憶部１０４を備えていることから、電源切断時に、制御部１０８の処理により、表示部１０１に最後に表示された画像（またはその画像データのメモリ上の格納アドレスなど）を記憶しておくこともできる。また、電源投入時に、記憶部１０４に記憶された画像を再表示することもできる。
【００２８】
以上のように、この実施の形態にかかる表示装置１００は、電源スイッチの操作を行わなくても、装置の開閉に伴って電源の投入・切断ができることから、瞬時に開閉が可能な装置の性質とあいまって、使い勝手が格段に向上する。なお、この表示装置１００では、電源断の状態であっても微量の待機電流が各機能部へ供給されているものとする。
【実施例】
【００２９】
（実施例１）
図２は、実施例１の表示装置２００の形状を示す模式図である。この表示装置２００は、複数の平行四辺形の画像表示器２０１と、複数の台形の画像表示器２０２と、これらを接続する接続部材２０３ａ，２０３ｂ，２０４ａ，２０４ｂ，２０５と、を備えて構成される。
【００３０】
平行四辺形の画像表示器２０１は、すべて同じ大きさで、フィルム材またはガラス基板により構成されている。また、台形の画像表示器２０２も、すべて同じ大きさで、フィルム材またはガラス基板により構成されている。図２に示した表示装置２００では、複数の平行四辺形の画像表示器２０１と、複数の台形の画像表示器２０１とを組み合わせて、長方形の表示画面を実現する。また、表示装置２００の周辺部に配置される画像表示器内部には、図１に示した入出力部１０６に相当する透明電極２０６が設けられている。透明電極に替えてループアンテナを入出力のインターフェースとして用いることも可能である。
【００３１】
接続部材２０３ａ，２０３ｂ，２０４ａ，２０４ｂ，２０５は、蝶番や樹脂材質により構成されている。そして、接続部材２０３ａ，２０３ｂ，２０４ａ，２０４ｂ，２０５は、各画像表示器２０１，２０２に映像信号、音声信号、制御信号、および電源などを導くための導電体を備えている。したがって、各画像表示器２０１，２０２にそれぞれ異なる画像を表示することが可能になる。また、接続部材２０３ａ，２０３ｂ，２０４ａ，２０４ｂ，２０５は、内部に図１に示した変位検出部１０２に相当する変位検出機能を備えている（詳細は後述）。
【００３２】
接続部材２０３ａ，２０３ｂは、図２における縦方向に配列された、画像表示器２０１と画像表示器２０２、または画像表示器２０１同士を接続する。接続部材２０４ａ，２０４ｂは、図２における横方向に配列された、画像表示器２０１同士、または画像表示器２０２の下底同士を接続する。接続部材２０５は、横方向に配列された画像表示器２０２の上底同士を接続する。
【００３３】
この表示装置２００は、接続部材２０３ａ，２０３ｂ，２０４ａ，２０４ｂ，２０５を折り目として折り畳むことができる。このときの折り畳み方には、いわゆるミウラ折りを採用している。したがって、折り畳むときは、山折りの部分と谷折りの部分が交互になるようにする。
【００３４】
すなわち、まず、表示装置２００を、接続部材２０３ａに沿って山折り、接続部材２０３ｂに沿って谷折りにする。続けて、接続部材２０４ａに沿って山折り、接続部材２０４ｂに沿って谷折りにする。さらに、接続部材２０５に沿って山折りにする。このようにすることで、例えば点２００ａ，２００ｂの部分をつまんでさっと左右に引っ張れば一瞬にして表示装置２００を広げることができる。また、その状態で、点２００ａ，２００ｂの部分をつまんで軽く押すだけで表示装置２００を折り畳むことができる。
【００３５】
次に、この表示装置２００を構成する各画像表示器の構造について説明する。
【００３６】
図３は、操作機能を備えた画像表示器の構造の一例を示す図である。この画像表示器は、基盤層３０１上に、ダミー半導体層３０２と、バスライン層３０３と、表示層３０４と、操作検出層３０５と、保護層３０６とが順次積層されて構成される。ダミー半導体層３０２は、他の画像表示器と同じ厚さを保つために形成されるダミー層である。ダミー半導体層３０２に、画像表示に用いるビデオメモリ、バッファメモリ、表示制御ＩＣなどを形成するように構成しても良い。バスライン層３０３は、表示層３０４や操作検出層３０５などへ映像信号、音声信号、制御信号、および電流などを導く層である。この画像表示器が画像表示装置２００の周辺部に配置される場合には、バスライン層３０３に、図１に示した入出力部１０６に相当する透明電極またはループアンテナが設けられる。表示層３０４は、有機ＥＬディスプレイ、液晶ディスプレイや電子ペーパなどの薄型ディスプレイなどからなり、画像などの表示を行う層である。操作検出層３０５は、図１に示したスイッチ部１０５に相当するものであり、ユーザからの入力情報を検出するためのタッチパネルからなる。したがって、ユーザが指などで保護層３０６上から操作検出層３０５を押下することにより、表示装置２００の制御を行うことができる。保護層３０６は、透明樹脂などからなり、操作検出層３０５を保護するための層である。
【００３７】
図４は、操作機能および制御機能を備えた画像表示器の構造の一例を示す図である。この画像表示器は、基盤層３０１上に、半導体層４０１と、バスライン層３０３と、表示層３０４と、操作検出層３０５と、保護層３０６が順次積層されて構成される。半導体層４０１は、有機半導体などからなり、図３に示したダミー半導体層３０２と同等の厚さに形成されている。この画像表示器は図１の制御部１０８の機能を備えた画像表示器である。半導体層４０１を備えているので、画像表示機能（図３で説明した画像表示に用いるビデオメモリ、バッファメモリ、表示制御ＩＣなど）のみならず、バスライン層３０３を介して送られてきた制御信号に基づき当該画像表示器全体の制御を行うことができる。また、他の画像表示器の制御を行うこともできる。さらに、この半導体層４０１は、表示層３０４に表示するための画像データや、後述する振動層から出力するための音声データ、各種コンテンツデータ、表示装置２００の制御プログラムなどを記憶する記憶機能を担う記憶部１０４を備えている。なお、この画像表示器が画像表示装置２００の周辺部に配置される場合には、バスライン層３０３に、図１に示した入出力部１０６に相当する透明電極またはループアンテナが設けられる。
【００３８】
図５は、操作機能および音声出力機能を備えた画像表示器の構造の一例を示す図である。この画像表示器は、基盤層３０１上に、振動層５０１と、バスライン層３０３と、表示層３０４と、操作検出層３０５と、保護層３０６とが順次積層されて構成される。振動層５０１は、図３に示したダミー半導体層３０２と同等の厚さに形成されており、バスライン層３０３を介して送られてきた音声データを出力することができる。この振動層５０１は、いわゆるスピーカであり図１に示した音声出力部１０３に相当する。制御部１０８の制御の元、記憶部１０４から読み出された音声データに基づいて振動層５０１が振動することにより音を発生させる。なお、この画像表示器が画像表示装置２００の周辺部に配置される場合には、バスライン層３０３に、図１に示した入出力部１０６に相当する透明電極またはループアンテナが設けられる。
【００３９】
図６は、操作機能および電源を備えた画像表示器の構造の一例を示す図である。この画像表示器は、基盤層３０１上に、シート電源層６０１と、バスライン層３０３と、表示層３０４と、操作検出層３０５と、保護層３０６とが順次積層されて構成される。シート電源層６０１は、図３に示したダミー半導体層３０２と同等の厚さに形成されており、表示層３０４や他の画像表示器へ電流を供給するためのものである。この画像表示器は、シート電源層６０１を備えているので、他から電流の供給を受けることなく、画像などの表示制御を行うことができる。なお、この画像表示器が画像表示装置２００の周辺部に配置される場合には、バスライン層３０３に、図１に示した入出力部１０６に相当する透明電極が設けられる。
【００４０】
実施例１にかかる表示装置２００は、図３〜６に示した異なる機能を有する画像表示器を複数接続することで実現することできる。図３〜６に示した画像表示器は、いずれも６層構造で、すべてが同じ厚さになるように構成されているので、各画像表示器を接続して表示装置２００を構成しても、装置の部分ごとに厚さが異なるといった不自然さはない。また、表示装置２００を構成する際の各画像表示器の配置位置は、表示装置としてどのような機能が要求されているかにより異なるが、少なくても図３に示した表示機能と操作機能を有する画像表示器と図４に示した制御機能を有する画像表示器がそれぞれ一つは必要になる。
【００４１】
また、この実施例１にかかる表示装置は、前述のように各画像表示器の傾き（開き具合、すなわち２つの画像表示器がなす角度の変化）を検出するための機能（変位検出機能）を備えている。以下では、このような傾きを検出する変位検出機能を備えた画像表示器の一例を示す。
【００４２】
図７は、変位検出機能を備えた画像表示器の構造の一例を示す図である。図７は、図３に示した画像表示器に変位検出機能を有する変位検出フィルム７０１を備えた例を示している。変位検出フィルム７０１は、図１に示した変位検出部１０２に相当し、例えばピエゾ樹脂などの変位起電素材または変位起電構造体からなっており、バスライン層３０３に接続されている。一例としては、変位起電構造体をカーボン膜を積層させた構造体で形成し、常時微小電流を通電させておき、表示装置２００が開かれることによる物理的変化による抵抗値をモニタリングすることにより、変位を検出することができる。
【００４３】
図８、図９は、変位検出フィルム７０１の機能を説明するための図である。図８に示すように、この変位検出フィルム７０１は、各画像表示器を接続するための可撓性を有する接続部材内部に備えられる。この変位検出フィルム７０１は、図８に示した形状から変位角度θで折り曲げられることによって図９に示したように形状が変位し、その変位量に比例した電位を発する。したがって、この変位検出フィルム７０１が発した電位の大きさを図４の制御機能を有する画像表示機の半導体層４０１に設けられた制御部でモニタリングし変化量を検出することで、その変位量を求め、画像表示器の傾き（開き具合）を検出することができる。そこで、変位検出フィルム７０１の変位量を検出し、この検出結果に基づいて電源の投入・切断を制御すれば、電源スイッチに頼らず、表示装置２００の開閉のみで電源の投入・切断を行うことができる（詳細は後述）。また、３つ以上の画像表示器を有する表示装置の場合は、画像表示器間の接続部分が２つ以上あることになる。その場合、それぞれの接続部分に設けられている変位検出フィルム７０１の出力はバスラインとして機能するバスライン層３０６を介して制御機能を有する画像表示器へ伝送される。そして、制御部にて表示装置２００全体の形状的変化を検出し、表示装置２００が開いた状態か閉じられている状態かを判断することができる。
【００４４】
図１０は、実施例１にかかる表示装置２００における画像データの流れを説明するための図である。画像データは、一つの画像表示器の制御部（半導体層４０１）からバスライン層３０３を介してすべての画像表示器に向けて送る。このようにすれば、表示装置２００は半導体層４０１を有する画像表示器を一つ備えていればよい。また、各画像表示器はすべてアドレスが割り振られている。各画像表示器は、受け取った画像データのなかから自らのアドレスに対応する画像データを表示する。この処理は、各画像表示器の表示層にデーコーダを備えることで実現できる。
【００４５】
次に、この実施例１にかかる表示装置２００の処理の一例について説明する。
【００４６】
図１１は、実施例１にかかる表示装置２００全体の処理手順を示すフローチャートである。まず、表示部に変位が生じたか否かを検出する（ステップＳ１１０１）。具体的には、隣り合った画像表示器同士のなす角度が変化すると、変位検出フィルム７０１に変位が生じ、電位を生じる。ここで生じた電位を制御機能を有する半導体層４０１が検出することで、表示部に変位が生じたことが検出できる。ここで、表示部に変位が生じたことを検出しなかった場合（ステップＳ１１０１：Ｎｏ）は、再度ステップＳ１１０１の処理を実行する。
【００４７】
ステップＳ１１０１の処理で表示部に変位が生じたことを検出した場合（ステップＳ１１０１：Ｙｅｓ）は、画像表示器同士のなす角度が所定値に達したか否かを検出する（ステップＳ１１０２）。変位検出フィルム７０１は、その変位量に比例した電位を発するので、半導体層４０１がその電位の大きさを検出することで画像表示器同士のなす角度（図９に示したθの値）を把握することができる。なお、検出する角度の所定値は３０度程度とすることが好ましい。この値に達しない場合には、表示部の開閉が行われたとはいえないからである。このステップＳ１１０２の処理で、画像表示器同士のなす角度が所定値に達していないことが検出された場合（ステップＳ１１０２：Ｎｏ）は、再度ステップＳ１１０１の処理を実行する。
【００４８】
ステップＳ１１０２の処理で、画像表示器同士のなす角度が所定値に達したことが検出された場合（ステップＳ１１０２：Ｙｅｓ）は、表示部が開いた状態か否かを検出する（ステップＳ１１０３）。ここでは、半導体層４０１が変位検出フィルム７０１の変位量を検出することで、表示部が開いた状態か、閉じた状態かを検出できる。ここで、表示部が開いた状態でない（閉じた状態である）ことが検出された場合（ステップＳ１１０３：Ｎｏ）は、半導体層４０１が表示装置２００の電源を切断する（ステップＳ１１０４）。
【００４９】
ステップＳ１１０３の処理で、表示部が開いた状態であることが検出された場合（ステップＳ１１０３：Ｙｅｓ）は、半導体層４０１が表示装置２００の電源を投入する（ステップＳ１１０５）。
【００５０】
次に、ラストコンテンツデータの静止画面の表示を行うか否かを判断する（ステップＳ１１０６）。この判断は、半導体層４０１が前述した制御プログラムを実行することにより行われる。ここで、ラストコンテンツデータの静止画面の表示を行うと判断された場合（ステップＳ１１０６：Ｙｅｓ）は、ラストコンテンツデータの静止画面の表示処理（詳細は後述する）を行う（ステップＳ１１０７）。この後は、ステップＳ１１１３へ移る。
【００５１】
ステップＳ１１０６の処理で、ラストコンテンツデータの静止画面の表示を行わないと判断された場合（ステップＳ１１０６：Ｎｏ）は、ラストコンテンツデータを再生再開位置から再生するか否かを判断する（ステップＳ１１０８）。この判断も、半導体層４０１が前述した制御プログラムを実行することにより行われる。ここで、ラストコンテンツデータを再生再開位置から再生すると判断された場合（ステップＳ１１０８：Ｙｅｓ）は、ラストコンテンツデータを再生再開位置から再生する処理（詳細は後述する）を行う（ステップＳ１１０９）。この後は、ステップＳ１１１３へ移る。
【００５２】
ステップＳ１１０８の処理で、ラストコンテンツデータを再生再開位置から再生しないと判断された場合（ステップＳ１１０８：Ｎｏ）は、ヘッドホン出力を行うか否かを決定する（ステップＳ１１１０）。ヘッドホン出力を行う場合（ステップＳ１１１０：Ｙｅｓ）は、ヘッドホン出力処理（詳細は後述する）を行う（ステップＳ１１１１）。この後は、ステップＳ１１１３へ移る。
【００５３】
一方、ヘッドホン出力を行わない場合（ステップＳ１１１０：Ｎｏ）は、デフォルト処理（詳細は後述する）を行う（ステップＳ１１１２）。そして、ユーザの操作入力を待つ（ステップＳ１１１３）。この後は、ステップＳ１１０１へ戻る。
【００５４】
図１２は、ラストコンテンツデータの静止画面の表示処理の手順を示すフローチャートである。以下、この図１２のフローチャートに基づいて、図１１に示したステップＳ１１０７のラストコンテンツデータの静止画面の表示処理を説明する。なお、以下の処理は、半導体層４０１が前述した制御プログラムを実行することによって実施される。
【００５５】
図１２に示すフローチャートにおいて、まず、音声ＯＦＦ（ミュート）設定を行う（ステップＳ１２０１）。次に、ラストコンテンツデータの静止画面を表示する（ステップＳ１２０２）。このラストコンテンツデータの静止画面は半導体層４０１に設けられている記憶部に記憶されている。
【００５６】
続いて、表示部への接触があったか否かを検出する（ステップＳ１２０３）。前述のように、表示装置２００はいわゆるタッチパネル方式を採用しているので、表示部への接触の有無を検出することで、ユーザによる操作入力があったか否かを判断することができる。ここで、表示部への接触がなかったことが検出された場合（ステップＳ１２０３：Ｎｏ）は、ステップＳ１２０２へ戻る。
【００５７】
ステップＳ１２０３の処理で、表示部への接触があったことが検出された場合（ステップＳ１２０３：Ｙｅｓ）は、ポーズ状態であるか否かを検出する（ステップＳ１２０４）。ここで、ポーズ状態であることが検出された場合（ステップＳ１２０４：Ｙｅｓ）は、ポーズ解除する（ステップＳ１２０５）。この後、ステップＳ１２０２へ戻る。
【００５８】
ステップＳ１２０４の処理で、ポーズ状態でないことが検出された場合（ステップＳ１２０４：Ｎｏ）は、再度、表示部への接触があったか否かを検出する（ステップＳ１２０６）。ここで、表示部への接触がなかったことが検出された場合（ステップＳ１２０６：Ｎｏ）は、ステップＳ１２０２へ戻る。
【００５９】
ステップＳ１２０６の処理で、表示部への接触があったことが検出された場合（ステップＳ１２０６：Ｙｅｓ）は、接触間隔が所定時間以下か否かを検出する（ステップＳ１２０７）。ここでは、前回（ステップＳ１２０３）と今回（ステップＳ１２０６）との接触間隔が所定時間ｔ（たとえば、０．１≦ｔ≦０．５（ｔは秒））であるか否かを検出する。このステップＳ１２０７の処理で、接触間隔が所定時間以下でないことが検出された場合（ステップＳ１２０７：Ｎｏ）は、ポーズ処理を行う（ステップＳ１２０８）。この後、ステップＳ１２０３へ戻る。
【００６０】
ステップＳ１２０７の処理で、接触間隔が所定時間以下であることが検出された場合（ステップＳ１２０７：Ｙｅｓ）は、メニュー画面を表示する（ステップＳ１２０９）。ここで表示されるメニュー画面は、半導体層４０１に記憶されているメニューデータに基づく。
【００６１】
図１３は、ラストコンテンツデータを再生再開位置から再生する処理の手順を示すフローチャートである。以下、この図１３のフローチャートに基づいて、図１１に示したステップＳ１１０９のラストコンテンツデータを再生再開位置から再生する処理を説明する。なお、以下の処理は、半導体層４０１が前述した制御プログラムを実行することによって実施される。
【００６２】
図１３に示すフローチャートにおいて、まず、立ち上げ音を発生させる（ステップＳ１３０１）。この処理は、半導体層４０１に設けられた記憶部に記憶されている所定のシステム起動音データを読み出し、振動層５０１から立ち上げ音として出力する。次に、ラストコンテンツデータを再生再開位置から再生する（ステップＳ１３０２）。このラストコンテンツデータは半導体層４０１に記憶されている。ラストコンテンツデータとしては、電源ＯＮ時の最後の場面に関連する静止画像とこの静止画像が記憶されているメモリ上のアドレスなどがある。また、静止画だけでなくオーディオデータを含めるようにしてもよい。
【００６３】
続いて、表示部への接触があったか否かを検出する（ステップＳ１３０３）。前述のように、表示装置２００はいわゆるタッチパネル方式を採用しているので、表示部への接触の有無を検出することで、ユーザによる操作入力があったか否かを判断することができる。ここで、表示部への接触がなかったことが検出された場合（ステップＳ１３０３：Ｎｏ）は、ステップＳ１３０２へ戻る。
【００６４】
ステップＳ１３０３の処理で、表示部への接触があったことが検出された場合（ステップＳ１３０３：Ｙｅｓ）は、ポーズ状態であるか否かを検出する（ステップＳ１３０４）。ここで、ポーズ状態であることが検出された場合（ステップＳ１３０４：Ｙｅｓ）は、ポーズ解除する（ステップＳ１３０５）。この後、ステップＳ１３０２へ戻る。
【００６５】
ステップＳ１３０４の処理で、ポーズ状態でないことが検出された場合（ステップＳ１３０４：Ｎｏ）は、再度、表示部への接触があったか否かを検出する（ステップＳ１３０６）。ここで、表示部への接触がなかったことが検出された場合（ステップＳ１３０６：Ｎｏ）は、ステップＳ１３０２へ戻る。
【００６６】
ステップＳ１３０６の処理で、再度、表示部への接触があったことが検出された場合（ステップＳ１３０６：Ｙｅｓ）は、接触間隔が所定時間以下か否かを検出する（ステップＳ１３０７）。ここでは、前回（ステップＳ１３０３）と今回（ステップＳ１３０６）との接触間隔が所定時間ｔ（たとえば、０．１≦ｔ≦０．５（ｔは秒））であるか否かを検出する。このステップＳ１３０７の処理で、接触間隔が所定時間以下でないことが検出された場合（ステップＳ１３０７：Ｎｏ）は、ポーズ処理を行う（ステップＳ１３０８）。この後、ステップＳ１３０３へ戻る。
【００６７】
ステップＳ１３０７の処理で、接触間隔が所定時間以下であることが検出された場合（ステップＳ１３０７：Ｙｅｓ）は、メニュー画面を表示する（ステップＳ１３０９）。ここで表示されるメニュー画面は、半導体層４０１に記憶されているメニューデータに基づく。
【００６８】
図１４は、ヘッドホン出力処理の手順を示すフローチャートである。以下、この図１４のフローチャートに基づいて、図１１に示したステップＳ１１１１のヘッドホン出力処理を説明する。なお、以下の処理は、半導体層４０１に設けられた制御部が前述した制御プログラムを実行することによって実施される。
【００６９】
図１４に示すフローチャートにおいて、まず、表示装置２００にヘッドホンが接続されているか否かを検出する（ステップＳ１４０１）。この検出処理は、無線通信のヘッドホンが所定範囲内に存在するか否かを検出する。ここで、ヘッドホンが接続されていることが検出された場合（ステップＳ１４０１：Ｙｅｓ）は、ヘッドホンへの出力を設定する（ステップＳ１４０２）。そして、ヘッドホン出力処理を行う（ステップＳ１４０３）。この後、ステップＳ１４０８へ移る。
【００７０】
ステップＳ１４０１の処理で、ヘッドホンが接続されていることが検出されなかった場合（ステップＳ１４０１：Ｎｏ）は、ミュート出力処理を実行するか否かをユーザに決定させるための通知を表示する（ステップＳ１４０４）。この通知は表示装置２００の表示部に表示される。
【００７１】
次に、ミュート出力処理を行うか否かを検出する（ステップＳ１４０５）。ミュート出力処理を行うか否かは、ユーザがタッチパネルを操作することで決定される。ここで、ミュート出力処理を行うことが検出された場合（ステップＳ１４０５：Ｙｅｓ）は、ミュート出力処理の設定を行う（ステップＳ１４０６）。この後、ステップＳ１４０８へ移る。
【００７２】
ステップＳ１４０５の処理でミュート出力処理を行わないことが検出された場合（ステップＳ１４０５：Ｎｏ）は、スピーカ出力処理の設定を行う（ステップＳ１４０７）。表示装置２００では、振動層５０１がスピーカに相当する。この後、ステップＳ１４０８へ移る。
【００７３】
そして、メニュー画面を表示する（ステップＳ１４０８）。ここで表示されるメニュー画面は、半導体層４０１に記憶されているメニューデータに基づく。なお、ここでは、ラストコンテンツを表示するようにしてもよい。続いて、コンテンツを再生する（ステップＳ１４０９）。ここで再生されるコンテンツは、ステップＳ１４０８において表示されたメニュー画面上でユーザが選択したものである。
【００７４】
図１５は、デフォルト処理の手順を示すフローチャートである。以下、この図１５のフローチャートに基づいて、図１１に示したステップＳ１１１２のデフォルト処理を説明する。なお、以下の処理は、半導体層４０１が前述した制御プログラムを実行することによって実施される。
【００７５】
図１５に示すフローチャートにおいて、まず、立ち上げ音を発生させる（ステップＳ１５０１）。この処理は、半導体層４０１に記憶されている所定のシステム起動音データを読み出し、振動層５０１から立ち上げ音として出力する。次に、メニュー画面を表示する（ステップＳ１５０２）。ここで表示されるメニュー画面は、半導体層４０１に記憶されているメニューデータに基づく。
【００７６】
次に、接触した座標を検出する（ステップＳ１５０３）。ここでは、ユーザが指、ペンなどで接触した表示部（タッチパネル）上の座標が検出される。続いて、ダブルクリックか否かを検出する（ステップＳ１５０４）。ここでは、ステップＳ１５０３の検出がダブルクリックによるものか否かが検出される。ステップＳ１５０４でダブルクリックでないことが検出された場合（ステップＳ１５０４：Ｎｏ）は、再度、ステップＳ１５０３の処理を行う。
【００７７】
ステップＳ１５０４でダブルクリックであることが検出された場合（ステップＳ１５０４：Ｙｅｓ）は、選択コンテンツを表示する（ステップＳ１５０５）。ここでは、ステップＳ１５０３で検出された座標の位置に表示されている内容に対応するコンテンツが表示される。
【００７８】
以上説明したように、実施例１の表示装置によれば、表示部を開閉するだけで、装置の電源の投入・切断を行うことができる。しかも、電源投入にともなって、ユーザが望む処理（ラストコンテンツデータの静止画面の表示処理や、ラストコンテンツデータを再生再開位置から再生する処理、ヘッドホン検出処理など）も同時に実行されるので、利便性が向上する。また、実施例１ではヘッドホンが表示装置２００に接続されているか否かを検出したが、表示装置２００の周辺に存在する外部の音響装置（家庭内に存在するデータ受信機能を備えた据え置き型のアンプとスピーカなど）を自動的に検出し、ループアンテナを介して、オーディオデータを表示装置２００から外部の音響装置へ出力するようにしてもよい。この場合、オーディオデータを表示装置２００の音声出力部で再生するのではなく、外部の音響装置で再生することにより迫力ある音声で楽しむことができたり、複数人で音楽を聴けたりするが可能になる。さらにまた、別の例として、表示装置２００の周辺に存在する外部の別の表示装置（例えば他のユーザの表示装置２００、会議室のプロジェクタやモニタなど）を自動的に検出し、ループアンテナを介して、ビデオデータを表示装置２００から外部の表示装置へ出力するようにしてもよい。この場合、ビデオデータを表示装置２００だけで再生するのではなく、外部の表示装置で再生することにより迫力ある映像で楽しむことができたり、複数人で視聴したりすることが可能になる。もちろん、オーディオデータとビデオデータの双方を外部の音響機器及び映像機器の双方に伝送することも可能であることはいうまでもない。
【００７９】
なお、この実施例１の表示装置は、複数の平行四辺形の画像表示器と、複数の台形の画像表示器とを備えて構成されているが、同じ形状の画像表示器（たとえば、平行四辺形の画像表示器）のみを複数接続するかたちで構成しても、得られる効果に違いはない。
【００８０】
（実施例２）
次に、実施例２にかかる表示装置を示す。この表示装置の構成は、実施例１のものと同様であるが、バッテリ残量の検出が可能である。また、バッテリ残量が少ないことを検出した場合に、省電力モードでの画像表示を行う。以下、この実施例２にかかる表示装置における省電力モードでの画像表示処理について説明する。なお、以下の処理は、半導体層４０１に設けられた制御部が制御プログラムを実行することによって実施される。
【００８１】
図１６は、省電力モードでの画像表示処理の手順を示すフローチャートである。図１６に示すフローチャートにおいて、まず、バッテリ残量時間を算出する（ステップＳ１６０１）。バッテリは、図６に示したシート電源層６０１が該当する。ステップＳ１６０１では、たとえば、時間経過に対する電圧降下の割合を示す式（（Ｖ2−Ｖ1）／（ｔ2−ｔ1）＝Ｃ）を下記の表１に示すバッテリの電圧降下曲線のグラフに当てはめて微分係数Ｃを求め、さらにこのＣの値を下記の表２に示すルックアップテーブルに当てはめてバッテリの残量時間を求める。
【００８２】
【表１】
2007206648.tif 000003
【００８３】
【表２】
2007206648.tif 000004
【００８４】
次に、パラメータｉを１にセットする（ステップＳ１６０２）。このパラメータｉは、後述のバッテリ残量時間が十分あるか否かを判定する際に用いる。続いて、バッテリ残量が十分にあるか否かを判定する（ステップＳ１６０３）。この判定は、たとえば、現在のバッテリ残量をＴ、最大のバッテリ残量をＴ0とするとき、Ｔ≦Ｔ0／（ｉ＋１）を用いて行われる。
【００８５】
ステップＳ１６０３においてバッテリ残量が十分であると判定された場合（ステップＳ１６０３：Ｙｅｓ）は、現在表示がされている画像表示器の数を維持する（ステップＳ１６０４）。この後は、ステップＳ１６０１に戻る。
【００８６】
一方、ステップＳ１６０３においてバッテリ残量が不十分であると判定された場合（ステップＳ１６０３：Ｎｏ）は、現在表示がされている画像表示器の数を維持することができないので、画像表示器の表示可能数を求める（ステップＳ１６０５）。ここでは、たとえば、画像表示器の表示可能数をＮ、画像表示器の現在の表示可能数をＮ0とするとき、Ｎ＝Ｎ0／（ｉ＋１）を用いて求めることができる。すなわち、表示可能数を現在の１／（ｉ＋１）と判断する（たとえば、１６の画像表示器がある場合は、１６→８→４→１のように判断する）。
【００８７】
次に、パラメータｉをｉ＋１にセットする（ステップＳ１６０６）。このパラメータｉ＋１は、再度バッテリ残量時間が十分あるか否かを判定する際に用いる。続いて、表示可能な画像表示器の数を表示する（ステップＳ１６０７）。なお、表示可能な画像教示器の数が最低数である場合は、表示可能な数を表示する代わりに電源の切断を促す表示を行ってもよい。そして、表示可能な数の画像表示器で画像表示を行う（ステップＳ１６０８）。この後、ステップＳ１６０１へ戻り、再度バッテリ残量の算出を行う。
【００８８】
以上のように、実施例２の表示装置によれば、バッテリ残量を算出することに加えて、バッテリ残量に応じた表示装置の動作（省電力モードでの画像表示）を行うことができる。このため、バッテリの持続時間を延長させ、バッテリ切れによる急激な表示装置の電源切断を回避することができる。
【図面の簡単な説明】
【００８９】
【図１】この発明の実施の形態にかかる表示装置の機能的構成を示すブロック図である。
【図２】実施例１の表示装置の形状を示す模式図である。
【図３】操作機能を備えた画像表示器の構造の一例を示す図である。
【図４】操作機能および制御機能を備えた画像表示器の構造の一例を示す図である。
【図５】操作機能および音声出力機能を備えた画像表示器の構造の一例を示す図である。
【図６】操作機能および電源を備えた画像表示器の構造の一例を示す図である。
【図７】変位検出機能を備えた画像表示器の構造の一例を示す図である。
【図８】変位検出フィルムの機能を説明するための図である。
【図９】変位検出フィルムの機能を説明するための図である。
【図１０】実施例１にかかる表示装置における画像データの流れを説明するための図である。
【図１１】実施例１にかかる表示装置全体の処理手順を示すフローチャートである。
【図１２】ラストコンテンツデータの静止画面の表示処理の手順を示すフローチャートである。
【図１３】ラストコンテンツデータを再生再開位置から再生する処理の手順を示すフローチャートである。
【図１４】ヘッドホン出力処理の手順を示すフローチャートである。
【図１５】デフォルト処理の手順を示すフローチャートである。
【図１６】省電力モードでの画像表示処理の手順を示すフローチャートである。
【符号の説明】
【００９０】
１００，２００  表示装置
１０１  表示部
１０２  変位検出部
１０３  音声出力部
１０４  記憶部
１０５  スイッチ部
１０６  入出力部
１０７  電源部
１０８  制御部
１０９  バスライン
２０１，２０２  画像表示器
２０３ａ，２０３ｂ，２０４ａ，２０４ｂ，２０５  接続部材
２０６  透明電極
３０１  基盤層
３０２  ダミー半導体層
３０３  バスライン層
３０４  表示層
３０５  操作検出層
３０６  保護層
４０１  半導体層
５０１  振動層
６０１  シート電源層
７０１  変位検出フィルム
【図１】
2007206648.tif 000005
【図２】
2007206648.tif 000006
【図３】
2007206648.tif 000007
【図４】
2007206648.tif 000008
【図５】
2007206648.tif 000009
【図６】
2007206648.tif 000010
【図７】
2007206648.tif 000011
【図８】
2007206648.tif 000012
【図９】
2007206648.tif 000013
【図１０】
2007206648.tif 000014
【図１１】
2007206648.tif 000015
【図１２】
2007206648.tif 000016
【図１３】
2007206648.tif 000017
【図１４】
2007206648.tif 000018
【図１５】
2007206648.tif 000019
【図１６】
2007206648.tif 000020